(57)【特許請求の範囲】
【請求項１】
１人の遊技客が持つ遊技媒体を計数した計数遊技媒体数と、該遊技客が遊技した１又は２以上の遊技台並びに遊技台周辺機器の情報から計算される計算遊技媒体数とを比較照合するための遊技媒体数照会手段であって、
操作者が入力を行うための操作入力手段と、
出力情報を表示する表示手段と、
１つの遊技台番号の前記遊技台において払い出された遊技媒体の数を含む遊技履歴情報を取得する遊技台情報取得手段と、
前記操作入力手段により前記遊技客が最後に遊技した前記遊技台番号を入力させ、前記遊技台情報取得手段により該遊技台番号の前記遊技台について前記遊技履歴情報を取得して、該遊技台において前記遊技客が遊技した期間に払い出された遊技媒体の合計を前記計算遊技媒体数として前記表示手段により表示する第１制御手段と、
前記遊技客が複数の前記遊技台を移動して遊技した場合には、前記第１制御手段の後、前記遊技客がその前に遊技した前記遊技台毎に、前記操作入力手段により前記遊技台番号を入力させ、前記遊技台情報取得手段により該遊技台番号の前記遊技台の前記遊技履歴情報を取得して、該遊技台において前記遊技客が遊技した期間に払い出された遊技媒体の合計を現在の前記計算遊技媒体数に加算することにより前記計算遊技媒体数を更新して前記表示手段により表示する第２制御手段と、
を備えることを特徴とする遊技媒体数照会手段。
【請求項２】
前記遊技履歴情報には所定の期間毎の前記遊技媒体数が記録されており、
前記第１制御手段及び前記第２制御手段は、前記遊技台毎に、前記操作入力手段により前記遊技客が遊技した前記所定の期間を選択させ、該選択された期間において払い出された遊技媒体のみを前記合計とする請求項１記載の遊技媒体数照会手段。
【請求項３】
前記選択された期間における前記遊技台の前記遊技媒体数を計数済みにする遊技媒体数クリア手段を備える請求項２記載の遊技媒体数照会手段。
【請求項４】
計数機から前記計数遊技媒体数を取得する計数情報取得手段を更に備え、
前記第１制御手段及び前記第２制御手段は、前記計算遊技媒体数と前記計数情報取得手段により取得された前記計数遊技媒体数とを比較し、その差が所定の範囲内であるかどうかを前記表示手段により表示する請求項１乃至３のいずれか１項に記載の遊技媒体数照会手段。
【請求項５】
前記遊技台情報取得手段は、前記遊技台毎の前記遊技履歴情報を蓄積して記憶するホールコンピュータから前記遊技履歴情報を取得し、
前記遊技媒体数クリア手段は、該ホールコンピュータに対して、前記選択された期間における前記遊技媒体数を計数済みにするように指示する請求項２乃至４のいずれか１項に記載の遊技媒体数照会手段。
【請求項６】
請求項１乃至５のいずれか１項に記載の遊技媒体数照会手段を備えることを特徴とする遊技媒体数照会機。
【発明の詳細な説明】
【技術分野】
【０００１】
本発明は、１人の遊技客の遊技媒体数と遊技客が遊技した各遊技台等から払い出された遊技媒体数とを比較照合するための遊技媒体数照会手段及びそれを備えた遊技媒体数照会機に関する。
【背景技術】
【０００２】
多数の遊技台が備えられた遊技場において、遊技客毎に遊技台等から払い出されたパチンコ玉等の遊技媒体の数は、遊技後に計数機（ジェットカウンタともいう。）によって数えられる。このとき、不正を防止するため、遊技客が実際に遊技を行った遊技台等から払い出された遊技媒体数と、計数機により計数された遊技客の遊技媒体数が一致するかどうかを照合する必要がある。遊技台等の時々刻々の遊技媒体数は、一般にホールコンピュータ等に蓄積して記憶されている。このため、従来、遊技場の係員が無線機等を介してホールコンピュータの操作者に遊技台等の遊技媒体数を問い合わせる等して、遊技客毎に計数機で計数された遊技媒体数との照合を行っていた。
また、カード等の遊技客の識別手段を用いることにより、遊技客毎に遊技媒体数を記録することが検討されていた（例えば、特許文献１を参照。）。特許文献１に記載されている遊技場用システムによれば、遊技台に付帯するカード読み取り機にカードを差し込むことによって、遊技台で遊技を行っている遊技客を識別することができ、遊技客毎の持玉、及びその遊技台の持玉数を確実に管理することができる。また、遊技客が複数の遊技台で遊技を行っても、各々の遊技台において払い出された玉数を把握することができる。
【先行技術文献】
【特許文献】
【０００３】
【特許文献１】特開２０１０−０６９０８１号公報
【発明の概要】
【発明が解決しようとする課題】
【０００４】
前記のように、遊技場の係員がホールコンピュータの操作者と交信することによって遊技客毎の遊技媒体の計数値と遊技台情報との照合を行っている場合には、遊技台及び遊技台周辺機器（以下、これらを遊技台等とする。）の遊技媒体数の照会に手間と時間を要するという問題があった。遊技台周辺機器は、台間機（サンドともいう。）等をいう。また、遊技客が複数の遊技台を移動して遊技を行った場合には、各遊技台等から払い出された遊技媒体の数を合算する必要がある。このため、更に遊技台情報の照会の時間が長くなるばかりでなく、係員が正確に合算することも困難になる。特に、１つの遊技台で複数人の遊技客が遊技を行い、それぞれが未精算の状態であると、対象遊技台等から払い出された遊技媒体数と計数された客の遊技媒体数が単純に一致しなくなり、照合が難しくなるという問題があった。
また、特許文献１等に記載されているように、カード等の遊技客の識別手段を使用すれば確実に遊技媒体数を管理することが可能になる。しかし、遊技客にとっては識別カードを所持するのは煩わしく、遊技場のすべての遊技客に対して識別カードを持たせて運用することは困難である。
【０００５】
本発明は、上記現状に鑑みてなされたもので、遊技客が複数の遊技台を移動した場合であっても、遊技客の遊技媒体の計数段階で各遊技台情報を照会し、遊技客毎の遊技媒体数の計数値とその遊技客が遊技した各遊技台等から払い出された遊技媒体数の合算値とを容易に照合することができる遊技媒体数照会手段及びそれを備えた遊技媒体数照会機を提供することを目的とする。
【課題を解決するための手段】
【０００６】
本発明は、以下のとおりである。
１．１人の遊技客が持つ遊技媒体を計数した計数遊技媒体数と、該遊技客が遊技した１又は２以上の遊技台並びに遊技台周辺機器の情報から計算される計算遊技媒体数とを比較照合するための遊技媒体数照会手段であって、操作者が入力を行うための操作入力手段と、出力情報を表示する表示手段と、１つの遊技台番号の前記遊技台において払い出された遊技媒体の数を含む遊技履歴情報を取得する遊技台情報取得手段と、前記操作入力手段により前記遊技客が最後に遊技した前記遊技台番号を入力させ、前記遊技台情報取得手段により該遊技台番号の前記遊技台について前記遊技履歴情報を取得して、該遊技台において前記遊技客が遊技した期間に払い出された遊技媒体の合計を前記計算遊技媒体数として前記表示手段により表示する第１制御手段と、前記遊技客が複数の前記遊技台を移動して遊技した場合には、前記第１制御手段の後、前記遊技客がその前に遊技した前記遊技台毎に、前記操作入力手段により前記遊技台番号を入力させ、前記遊技台情報取得手段により該遊技台番号の前記遊技台の前記遊技履歴情報を取得して、該遊技台において前記遊技客が遊技した期間に払い出された遊技媒体の合計を現在の前記計算遊技媒体数に加算することにより前記計算遊技媒体数を更新して前記表示手段により表示する第２制御手段と、を備えることを特徴とする遊技媒体数照会手段。
２．前記遊技履歴情報には所定の期間毎の前記遊技媒体数が記録されており、前記第１制御手段及び前記第２制御手段は、前記遊技台毎に、前記操作入力手段により前記遊技客が遊技した前記所定の期間を選択させ、該選択された期間において払い出された遊技媒体のみを前記合計とする前記１．記載の遊技媒体数照会手段。
３．前記選択された期間における前記遊技台の前記遊技媒体数を計数済みにする遊技媒体数クリア手段を備える前記２．記載の遊技媒体数照会手段。
４．計数機から前記計数遊技媒体数を取得する計数情報取得手段を更に備え、前記第１制御手段及び前記第２制御手段は、前記計算遊技媒体数と前記計数情報取得手段により取得された前記計数遊技媒体数とを比較し、その差が所定の範囲内であるかどうかを前記表示手段により表示する前記１．乃至前記３．のいずれかに記載の遊技媒体数照会手段。
５．前記遊技台情報取得手段は、前記遊技台毎の前記遊技履歴情報を蓄積して記憶するホールコンピュータから前記遊技履歴情報を取得し、前記遊技媒体数クリア手段は、該ホールコンピュータに対して、前記選択された期間における前記遊技媒体数を計数済みにするように指示する前記２．乃至前記４．のいずれかに記載の遊技媒体数照会手段。
６．前記１．乃至前記５．のいずれか１項に記載の遊技媒体数照会手段を備えることを特徴とする遊技媒体数照会機。
【発明の効果】
【０００７】
本発明の遊技媒体数照会手段によれば、操作入力手段と、表示手段と、各遊技台等において払い出された遊技媒体の数を含む遊技履歴情報を取得する遊技台情報取得手段と、計算遊技媒体数を求めて表示する第１制御手段及び第２制御手段とを備えているため、１人の遊技客の遊技終了後の遊技媒体を計数した計数遊技媒体数と、該遊技客が遊技した１又は２以上の遊技台等から該遊技客が遊技した期間において払い出された遊技媒体の数を合算した計算遊技媒体数と、を比較照合することができる。
遊技客が遊技した遊技台が１台である場合には、第１制御手段のみによりその遊技台やその周辺機器から払い出された遊技媒体の数が計算遊技媒体数として表示されるため、その計算遊技媒体数と計数機等により計数された計数遊技媒体数とを容易に比較照会することができる。また、遊技客が複数の遊技台を移動して遊技した結果、各遊技台等から払い出された遊技媒体を持っている場合には、第１制御手段及び第２制御手段によりそれぞれの遊技台等から払い出された遊技媒体の数が合算され、その合計が計算遊技媒体数として表示されるため、その計算遊技媒体数と計数機等により計数された計数遊技媒体数とを比較照合することができる。これにより、遊技場の係員は遊技台等から払い出された遊技媒体の数の照会及び合算に要する手間と時間を省くことができ、正確な計算遊技媒体数に基づいて計数遊技媒体数が適正であるかを判断することができる。
また、本発明の遊技媒体数照会手段は、遊技客及び遊技台を特定するための識別カード等を使用していないため、遊技場で遊技した全ての遊技客に対して、計数された遊技媒体の数が適正であるかを判断することができる。
【０００８】
前記遊技履歴情報には所定の期間毎の遊技媒体数が記録されており、前記第１制御手段及び前記第２制御手段は、遊技台毎に、前記操作入力手段により遊技客が遊技した期間を選択させ、該選択された期間において払い出された遊技媒体のみをその遊技台等から払い出された遊技媒体の合計とする場合は、遊技客が利用した遊技台において複数人の遊技客が利用していても、実際に遊技していた期間内の遊技台毎の遊技履歴情報を選択することによって、対象遊技台で遊技客が遊技した期間にその遊技台等から払い出された遊技媒体を合算することができるようになり、遊技台及び遊技期間を特定して計算遊技媒体数の算出をより正確に行うことができる。
選択された所定の各期間において前記遊技台等が払い出した前記遊技媒体数を計数済みにする遊技媒体数クリア手段を備える場合には、１台の遊技台で複数人の遊技客が利用したとしても、計数をした遊技客が遊技した期間に払い出された遊技媒体だけを計数済みにすることができる。すなわち、遊技台の未計数の遊技媒体数から計数が済んだ分を差し引くことにより、その後の払い出された遊技媒体数の集計を正しく行うことができる。
計数機から前記計数遊技媒体数を取得する計数情報取得手段を更に備え、前記第１制御手段及び前記第２制御手段が、前記計算遊技媒体数と前記計数情報取得手段により取得された計数遊技媒体数とを比較し、その差が所定の範囲内であるかどうかを前記表示手段により表示する場合は、遊技場の係員が計数された計数遊技媒体数と合算された計算遊技媒体数とを目視比較して適正であるかを判断する必要がなく、一律に正確な判定が可能になる。
前記遊技台情報取得手段が、遊技台毎の遊技履歴情報を蓄積して記憶するホールコンピュータから遊技履歴情報を取得し、前記遊技媒体数クリア手段が、該ホールコンピュータに対して、前記選択された所定の各期間における前記遊技媒体数を計数済みにするように指示する場合には、従来のホールコンピュータを利用することにより、本遊技媒体数照会手段をより容易に実現することができる。
【０００９】
前記遊技媒体数照会手段を備える遊技媒体数照会機によれば、計数機の近傍等、遊技媒体の数の照合が必要な場所に遊技媒体数照会機を設置することができ、計数機により計数された計数遊技媒体数と遊技台等から払い出された計算遊技媒体数とを比較照合することができ、遊技客が複数の遊技台を移動して遊技を行った場合であっても、容易且つ正確に計数遊技媒体数が適正であるかを確認することができる。遊技場の係員は無線機等を用いて遊技台やその周辺機器等から払い出された遊技媒体数を問い合わせる必要がないため、計数遊技媒体数と計算遊技媒体数とを短時間に照合することができる。また、遊技客及び遊技台を特定するための識別カードを使用しないため、遊技場で遊技した全ての遊技客に対して、計数された遊技媒体数が適正であるかを判断することができる。
【図面の簡単な説明】
【００１０】
本発明について、本発明による典型的な実施形態の非限定的な例を挙げ、言及された複数の図面を参照しつつ以下の詳細な記述によって更に説明するが、同様の参照符号は図面のいくつかの図を通して同様の部品を示す。
【図１】本遊技媒体数照会手段の構成を示すブロック図である。
【図２】本遊技媒体数照会手段の動作の流れを示すフローチャートである。
【図３】第１制御手段（第２制御手段）の遊技台番号を入力する表示画面例である。
【図４】第１制御手段により遊技客が最後に遊技した遊技台の遊技媒体数（遊技履歴）を表示した状態の表示画面例である。
【図５】第１制御手段により遊技客が最後に遊技した遊技台の遊技媒体数（特賞履歴）を表示した状態の表示画面例である。
【図６】第１制御手段により遊技媒体数クリアの確定を行う状態の表示画面例である。
【図７】第２制御手段により遊技台の遊技媒体数を表示した状態の表示画面例である。
【図８】第２制御手段により遊技媒体数クリアの確定を行う状態の表示画面例である。
【図９】第２制御手段により遊技台の遊技履歴を選択した状態の表示画面例である。
【図１０】遊技媒体数設定手段により遊技台の持玉設定を変更する表示画面例である。
【発明を実施するための形態】
【００１１】
以下、図１〜１０を参照しながら本発明の遊技媒体数照会手段及びそれを備えた遊技媒体数照会機を詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
本遊技媒体数照会手段は、１人の遊技客が遊技台で遊技を行って得た遊技媒体の数を計数機により計数した計数遊技媒体数と、その遊技客が遊技した１台又は複数台の遊技台の情報（遊技台周辺機器の情報を含む。）から計算される計算遊技媒体数と、を比較照合するための手段である。この本遊技媒体数照会手段は、操作入力手段と、表示手段と、遊技台情報取得手段と、第１制御手段と、第２制御手段と、を備える。本遊技媒体数照会手段は、更に、遊技媒体数クリア手段、計数情報取得手段等を備えることができる。
【００１３】
本遊技媒体数照会手段の具体的な構成方法や接続方法は特に限定されない。例えば、図１に示すように、本遊技媒体数照会手段１は、遊技場に備えられるホールコンピュータ２と接続される装置（遊技媒体数照会機）として、又はホールコンピュータ２の一部等として構成することができる。ホールコンピュータ２は、遊技場の事務所等に備えられ、遊技場内の島に置かれた複数の遊技台３、各遊技台３に隣接して配設される遊技台周辺機器である台間機５、島端等に設置される計数機４１等、及び図示しない遊技場内の各種機器とデータの送受信可能に接続されている。また、ホールコンピュータ２は、島端に設置される再プレイ機、遊技媒体販売機等とデータの送受信可能に接続することができる。
ホールコンピュータ２に備えられているデータベースには、遊技台３毎の時々刻々の遊技媒体数の変化が遊技履歴情報として蓄積して記憶されている。本実施形態では、各遊技台等から期間毎に払い出した遊技媒体数が遊技履歴情報に含まれる。
【００１４】
本図において、遊技媒体数照会手段１は、ホールコンピュータ２と接続されており、操作入力手段１１、表示手段１２、遊技台情報取得手段１３、第１制御手段１４、第２制御手段１５、遊技媒体数クリア手段１６、計数情報取得手段１７等を備えている。
遊技台３は、パチンコ機、パチスロ機等の遊技機器を含む。遊技台３で使用する遊技媒体は、パチンコ玉やメダル等を含む。遊技台は、遊技台毎に付された番号（遊技台番号）によって識別するようにすることができる。
計数機４１は、遊技場内の島端等に配置され、遊技客が遊技後に持っている遊技媒体の数を計数する装置であり、計数した玉数（計数遊技媒体数）を表示すると共にホールコンピュータ２及び本遊技媒体数照会手段１に送信することができる。遊技媒体数照会手段１は、必要な場合に計数した計数遊技媒体数を計数機４１から直接に取得してもよいし、ホールコンピュータ２を介して取得するように構成されてもよい。
台間機５は、台間玉貸機、台間情報端末機、台間再プレイ機等を例示することができる。また、台間機５等の遊技台周辺機器は、遊技台３に提供した遊技媒体の数をホールコンピュータ２に送信し、その遊技台３における遊技履歴情報として蓄積することができる。
【００１５】
操作入力手段１１は、本遊技媒体数照会手段１に対して操作者が遊技台番号、機能選択等の指示入力を行う手段である。操作者は、主として遊技場の係員である。具体的な操作入力手段１１の構成は限定されず、例えば、タッチセンサ、キースイッチ等を使用することができる。
表示手段１２は、本遊技媒体数照会手段１の動作状態や処理結果等の出力情報を操作者に対して表示するための手段である。具体的な表示手段１２の構成は限定されず、例えば、ＬＣＤ、ＬＥＤ等を用いた各種表示器を使用することができる。
操作入力手段１１及び表示手段１２のハードウェアとして、例えばタッチパネル付きディスプレイ装置を用いることができる。以下の説明及び図面においては、タッチパネル付きディスプレイ装置を使用するものとしている。
【００１６】
遊技台情報取得手段１３は、１つの遊技台番号に該当する遊技台３において払い出された遊技媒体の遊技履歴情報を取得する手段である。この「遊技台において払い出された」とは、遊技台自体が遊技媒体を払い出すことに加えて、台間機５、再プレイ機、遊技媒体販売機等の遊技台周辺機器が該当遊技台に遊技媒体を供給することも含まれる。即ち、遊技履歴情報には、該当遊技台３から払い出された遊技媒体数の他、各遊技台周辺機器から該当遊技台３に供給された遊技媒体数が記憶されている。
遊技台情報取得手段１３はホールコンピュータ２と送受信可能に接続され、ホールコンピュータ２から取得した遊技履歴情報を第１制御手段又は第２制御手段に通知する。
【００１７】
遊技台３等から払い出された遊技媒体数は、遊技台３等から払い出される度にホールコンピュータ２に通知され、ホールコンピュータ２等に設けられるデータベースに払い出された所定の期間と共に１項目の遊技履歴情報として蓄積して記録されている。尚、期間や遊技媒体数等、遊技履歴情報の記録形式は特に限定されず、既知の方法を利用することができる。また、所定の期間の範囲は、任意に選択することができ、例えば一定間隔、遊技客が遊技をしていたと推測される期間、大当たりが起きている期間等とすることができる。
更に、遊技台情報取得手段１３は、ホールコンピュータ２との通信により、特定の遊技台番号の遊技台について、記録されている期間、及び該当遊技台において払い出された遊技媒体数を含む遊技履歴情報を取得するように構成することができる。
尚、本遊技媒体数照会手段１は、遊技台において払い出された遊技媒体数として、当該遊技台等において精算が済んでいない（即ち、計数済み（クリア）されていない）遊技媒体数のみを、ホールコンピュータ２等から取得し、又はホールコンピュータ２等に記録された遊技履歴情報から演算して求めるように構成することができる。
【００１８】
第１制御手段１４は、操作入力手段１１により遊技客が最後に遊技した遊技台（以下、最終遊技台とする。）の遊技台番号を入力させ、その遊技台番号の遊技台について遊技台情報取得手段１３により遊技履歴情報を取得し、該遊技台において払い出された遊技媒体数の合計を計算遊技媒体数として求める手段である。その計算遊技媒体数は、表示手段１２により表示される。また、その計算遊技媒体数は、以後の処理のために遊技媒体数照会手段１に具備する記憶手段に格納される。
図３は、タッチパネル付きディスプレイ装置を使用して遊技台番号を入力する画面例を表している。画面上に数字キー及び「決定」ボタンが表示され、操作者はタッチパネルにより遊技台番号を入力する。入力された遊技台番号は画面に表示されている（「１２０５番台」）。このように遊技台番号を数値で直接入力させてもよいし、遊技台番号に対応する内容（例えば、遊技台の位置や、機種名）の一覧等を表示して、選択入力させるようにしてもよい。
【００１９】
第１制御手段１４は、前記入力された最終遊技台について、遊技台情報取得手段１３により遊技履歴情報を取得する。そして、取得した遊技履歴情報に含まれる当該遊技台及び遊技台周辺機器から払い出された遊技媒体数を合計して、その合計値を計算遊技媒体数とする。図４は、入力された遊技台「１２０５番台」の遊技履歴情報を取得して表示すると同時に、期間毎に払い出された遊技媒体数を集計して算出した計算遊技媒体数（図では「持玉」と表示されている。）「２７１６０」を表示している状態を表している。
遊技履歴情報には、少なくとも遊技台及び遊技台周辺機器から払い出された遊技媒体数及びその期間（例えば、払い出しの開始時刻と終了時刻）が含まれていればよい。また、大当たりの情報（例えば、発生時刻、大当たりが始まるまでに起きた大当たりの条件のスタートの回数、大当たりによって払い出された遊技媒体数、大当たり中に払い出された遊技媒体数等）等を含めてもよい。
【００２０】
また、第１制御手段は、最終遊技台の遊技履歴情報の中から、操作入力手段１１により遊技客が遊技を行った期間を選択させて、選択された期間において払い出された遊技媒体数のみを集計して計算遊技媒体数とするようにすることができる。例えば、図４に示すように、期間毎の遊技履歴情報一覧を表示して各遊技履歴情報を選択させることができる。
【００２１】
第２制御手段１５は、遊技客が複数台の遊技台を移動して遊技を行った場合に用いられる。第２制御手段１５は、第１制御手段による処理の後、遊技客が最終遊技台の前に遊技した遊技台（以下、移動遊技台とする。）毎に、操作入力手段１１により該当移動遊技台の遊技台番号を入力させ、その遊技台について遊技台情報取得手段１３により遊技履歴情報を取得して、その遊技台等から払い出された遊技媒体数の合計と現在の計算遊技媒体数（すなわち、前記記憶手段に格納されている計算遊技媒体数）とを合算して計算遊技媒体数を更新する。これによって、合算後の値が計算遊技媒体数として表示手段１２により表示され、前記記憶手段に格納される。
【００２２】
第２制御手段１５が操作入力手段１１により該当遊技台番号を入力させる方法、及び遊技台情報取得手段１３によりその遊技台の遊技履歴情報を取得する方法は、前記第１制御手段１４の場合と同様である。
図７は、最終遊技台「１２０５番台」の遊技履歴情報に加えて、その前に遊技者が遊技した移動遊技台「７０７番台」の遊技履歴情報を取得して表示すると同時に、「７０７番台」において払い出された遊技媒体数を集計して計算遊技媒体数に合算した例を表している。
【００２３】
また、第２制御手段１５は、前記第１制御手段１４の場合と同様に、移動遊技台についての遊技履歴情報の中から、操作入力手段１１により遊技客が遊技した期間を選択させ、選択された期間において払い出された遊技媒体数のみを合計して計算遊技媒体数に加算するようにすることができる。
【００２４】
遊技客が３台以上の遊技台を移動して遊技を行った場合であっても、第２制御手段１５は、全ての遊技台番号を順次入力させ、各々の遊技台における遊技履歴情報を遊技台情報取得手段１３により得て、その遊技台等から払い出された遊技媒体数を集計して計算遊技媒体数に合算することにより、正確な計算遊技媒体数を求めることができる。この場合、各遊技台番号の入力は、必ずしも遊技客が移動した順番で入力する必要はなく、任意の順で入力されてもよい。
尚、第１制御手段１４及び第２制御手段１５は、一つの制御手段として構成されてもよい。
【００２５】
遊技媒体数クリア手段１６は、計算遊技媒体数として計上した遊技台等の遊技媒体数を、計数済みするための手段である。この処理は、遊技履歴情報を記録しているデータベースにおいて、第１制御手段１４により計算遊技媒体数に集計した最終遊技台の遊技媒体数、及び第２制御手段１５により計算遊技媒体数に集計した各移動遊技台の遊技媒体数を、各該当遊技台における払い出した遊技媒体数から差し引くことにより行うことができる。
これにより、データベース上の遊技媒体数に対して計数済み、即ち精算済みの遊技媒体である旨が記憶されることになり、集計のための情報として利用することができる。また、データベースがホールコンピュータ２に備えられている場合は、遊技媒体数クリア手段１６は各遊技媒体数をホールコンピュータ２に送信し、各遊技台における遊技媒体数を送信した分だけ計数済みにさせる。
尚、遊技客が複数の遊技台を移動していない場合には、最終遊技台について第１制御手段により計算遊技媒体数として集計した遊技媒体数のみが計数済み扱いの対象となる。
また、遊技媒体数クリア手段１６は、各遊技台の遊技媒体数を計数済みにするだけに限られず、計算遊技媒体数に用いた全ての遊技履歴情報を計数済みに設定し、今後の遊技台情報取得手段による遊技履歴情報取得に用いられないようにすることができる。計数済みにされた遊技履歴情報は、その後、他の遊技者の計算遊技媒体数には集計されないようにすることができる。
【００２６】
更に、本遊技媒体数照会手段１は、計数機４１により計数された計数遊技媒体数の情報を取得する計数情報取得手段１７を備えることができる。計数遊技媒体数情報は、計数機４１から直接、又はホールコンピュータ２を介して受け取ることができる。この場合、第１制御手段１４及び第２制御手段１５は、計数情報取得手段１７により取得された計数遊技媒体数と算出した計算遊技媒体数とを比較して、その差が所定の範囲内であるかどうかを表示するように構成することができる。計数遊技媒体数と計算遊技媒体数とが所定の範囲内で一致すれば、計数された計数遊技媒体数が適正であるといえる。上記所定の範囲は、遊技媒体の一部紛失等を考慮して適宜定められればよい。
【００２７】
また、本遊技媒体数照会手段１は、遊技媒体設定手段１８を備えることができる。遊技媒体設定手段１８は、計数遊技媒体数が、機器の故障等のために遊技履歴情報から算出される計算遊技媒体数と一致しない場合等に、操作入力手段１１により遊技台において払い出された遊技媒体数を修正するための手段である。遊技媒体設定手段１８により、例えば図１０に示すように、遊技客が行った遊技台とその遊技台において払い出された遊技媒体数とを表示装置に表示し、変更後の遊技媒体数を操作入力手段によって入力するようにすることができる。そして、確定ボタンにより入力を確定し、ホールコンピュータ２に該当遊技台番号と変更後の各遊技媒体数を送信し、データベースに記録させることができる。これにより、機器の故障等のために計算遊技媒体数が正しく算出できない場合であっても遊技媒体数を整合させ、データベースに保存させることができる。
【００２８】
本発明の遊技媒体数照会機は、前記遊技媒体数照会手段を備えることを特徴とする。遊技媒体数照会機は、ホールコンピュータ２と通信可能に接続される。また、計数機４１と接続し、計数情報を取得するようにすることができる。本遊技媒体数照会機の構成は特に限定されないが、例えば、入出力装置（タッチパネル付きディスプレイ等）と遊技媒体数照会手段１のプログラムを備えたコンピュータとすることができる。本遊技媒体数照会機を遊技媒体の計数機４１の近傍に設置すれば、計数された計数遊技媒体数と、遊技台から払い出された遊技媒体数に基づく計算遊技媒体数と、の比較照合をその場で行うことができ至便である。
【００２９】
本遊技媒体数照会手段の動作及び処理の例を、図２に示す。本図は、具体的な各処理の関係の概略を説明するものであって、制御の流れはこれに限定されない。
本例の遊技媒体数の照会は、ホールコンピュータからその遊技客が遊技した遊技台（最終遊技台及び移動遊技台）等について遊技履歴情報を取得し、遊技履歴情報に基づいて各遊技台において払い出された遊技媒体数を算出して表示し、ホールコンピュータに対して計算遊技媒体数として集計した遊技媒体数を計数済みにするよう指示する流れを示している。この詳細を以下に説明する。
【００３０】
（１）遊技した遊技台が１台である場合
第１制御手段１４は、図３に示すように、表示手段１２に遊技台番号の入力画面を表示させ、操作者に操作入力手段１１（タッチパネル）を用いて最後に遊技を行った最終遊技台の遊技台番号の入力をさせる（ステップＳ１１）。操作者は、通常、計数機４１の操作と共に遊技媒体数照会手段の操作を行う遊技場の係員であり、遊技客から聞いた遊技台番号を入力することとなる。遊技台番号の入力画面は、遊技台番号を表す数値を入力させるための数値ボタンを並べたものであり、各ボタンに触れることによって所定桁数の遊技台番号（図３においては４桁の数値「１２０５」）を入力することができる。その後、「決定」ボタンを触れることで遊技台番号が確定する。
【００３１】
遊技台番号が入力されたら、第１制御手段１４は、遊技台情報取得手段１３を用いて、その遊技台番号の遊技履歴情報の取得を行う（ステップＳ１２）。具体的には、遊技台情報取得手段１３は、ホールコンピュータ２に最終遊技台の遊技台番号を送信し、その遊技台における遊技履歴情報を受信する。次いで、第１制御手段１４は、遊技台情報取得手段１３が受信した遊技履歴情報を一覧表示させる（ステップＳ１３）。そして、図４に示すように、一覧表示した遊技履歴情報中の遊技媒体数の合計（図４においては、７６３０＋１９５３０＝２７１６０）を計算し、計算遊技媒体数として記憶すると共に、表示手段１２に計算遊技媒体数を「持玉」として表示する（ステップＳ１４）。また、遊技台番号及びその遊技台番号の機種名等の遊技台の情報を表示手段１２により表示する。機種名等を表示することによって、遊技客が遊技を行った遊技台を把握しやすくすることができる。尚、遊技台番号の機種名等の遊技台の情報は、ホールコンピュータ２に問い合わせ、受信することで得ることができる。
【００３２】
本例において、表示手段１２に表示される遊技履歴情報の一覧は、１つの遊技履歴情報について１行であり、１行中に遊技媒体を払い出した期間を表す開始時刻及び終了時刻と、その期間において払い出された遊技媒体数が表示されている。また、ボタン操作により、図５に示す特賞履歴を表示することができる。この特賞履歴は、「特賞履歴」ボタンを押すことによって表示され、大当たり扱いの遊技履歴が一覧表示される。その項目として、大当たりの連番、大当たりの発生時刻、大当たりが発生するまでに掛かった「スタート」回数、大当たりそのものによって払い出された「特賞出玉」数、大当たりの期間中に払い出された「持玉数」が表示されている。このような特賞履歴表示により、遊技客が遊技した内容を把握することができ、選択された遊技台や遊技期間の適否の判断も容易になる。この表示は、「遊技履歴」ボタンを押すことによって図４に示す遊技履歴情報の一覧に戻すことができる。
【００３３】
操作者は、表示手段１２により表示された計算遊技媒体数と、別途計数機４１で数えられた遊技客が所持する計数遊技媒体数とを照合し（ステップＳ１５）、両者の差が所定の範囲以内であり、計数遊技媒体数が適正であると考えられれば、「持玉クリア」ボタンを触れて照合を終了し、その後の精算業務に移ることができる。このとき、「持玉クリア」ボタンを触れることによって遊技媒体数クリア手段１６が機能し、図６に示す持玉のクリア確認画面が表示される（ステップＳ１６）。ここで「確定」ボタンに触れることで、クリアが確定し、遊技媒体数クリア手段１６は、その遊技台番号と該当遊技媒体数をホールコンピュータ２に送信する（ステップＳ１７）。ホールコンピュータ２は、受信した遊技台番号の該当遊技媒体数分を計数済みにする。
【００３４】
尚、前記ステップＳ１５では、前記計数情報取得手段により計数機４１で計数された計数遊技媒体数情報を予め取得し、第１制御手段１４によりその計数遊技媒体数と計算遊技媒体数とを比較して、その差が所定の範囲内であるかの判断結果を表示するようにしてもよい。それにより、操作者が、計数機４１に表示されている計数遊技媒体数と、前記ステップＳ１４により表示される計算遊技媒体数とを目視して比較する必要がなくなる。後述するステップＳ２５においても同様である。
【００３５】
一方、ステップＳ１５において遊技媒体数の差が所定の範囲内ではなく、且つ遊技客が最終遊技台より前に遊技を行った遊技台があれば、以下に説明する第２制御手段１５を用いて該当遊技台の遊技履歴情報を照会する。また、ステップＳ１５において遊技媒体数の差が所定の範囲内ではなく、遊技客が最終遊技台のみで遊技を行っている場合は、不正のおそれがある。
【００３６】
（２）遊技した遊技台が２台である場合
第１制御手段１４で得た計数遊技媒体数と計算遊技媒体数との差が所定の範囲内ではなく、遊技客が異なる遊技台から最終遊技台へ台移動して遊技していた場合には、操作者は「台移動」ボタンを触れて、第２制御手段１５により新たな遊技台の選択に移ることができる（ステップＳ２０）。第２制御手段１５は、第１制御手段１４と同様に、図３に例示した遊技台番号の入力画面を表示させ、操作者に移動遊技台の遊技台番号の入力を行わせる（ステップＳ２１）。
【００３７】
移動遊技台の遊技台番号が入力されたら、第２制御手段１５は、遊技台情報取得手段１３を用いて、その遊技台番号の遊技履歴情報の取得を行う（ステップＳ２２）。具体的には、遊技台情報取得手段１３は、ホールコンピュータ２に遊技台番号を送信し、その遊技台における遊技履歴情報を受信する。次いで、第２制御手段１５は、第１制御手段１４によって得られた最終遊技台に関する遊技履歴情報の一覧と共に、新たに遊技台情報取得手段１３が受信した移動遊技台に関する遊遊技履歴情報の一覧を表示する（ステップＳ２３）。図７に示すように、表示手段１２の左半分側に最終遊技台に関する遊遊技履歴情報一覧を表示し、更に右半分側に移動遊技台に関する遊遊技履歴情報一覧を表示する。また、各一覧は、第１制御手段１４による前記遊技履歴表示と同様に、１行中にその遊技履歴情報の期間を表す開始時刻及び終了時刻と、その期間において払い出された遊技媒体数が表示される。更に、移動遊技台の遊技履歴情報中の遊技媒体数の合計（図７においては、１５０＋４６２０＋４５５０＝９３２０）を計算し、最終遊技台の計算遊技媒体数と合算して計算遊技媒体数として記憶すると共に、表示手段１２にその計算遊技媒体数（図７においては、２７１６０＋９３２０＝３６４８０）を「持玉」として表示する（ステップＳ２４）。前記同様、該当遊技台の機種名等を表示する場合は、遊技客が遊技を行った遊技台を把握しやすくすることができる。
【００３８】
操作者は、表示手段に表示された計算遊技媒体数と、別途計数機４１で数えられた遊技客が所持する計数遊技媒体数とを照合し（ステップＳ２５）、両者の差が所定の範囲以内であり、計数遊技媒体数が適正であると考えられれば、「持玉クリア」ボタンを触れて照合を終了し、その後の精算業務に移ることができる。このとき、「持玉クリア」ボタンを触れることによって遊技媒体数クリア手段１６が機能し、図８に示す持玉のクリア確認画面が表示される（ステップＳ２６）。ここで「確定」ボタンに触れることで、計数済みが確定し、遊技媒体数クリア手段１６は、その遊技台番号（最終遊技台及び移動遊技台の遊技台番号）と該当遊技媒体数をホールコンピュータ２に送信する（ステップＳ２７）。ホールコンピュータ２は、受信した遊技台番号の該当遊技媒体数分を計数済みにする。
【００３９】
一方、ステップＳ２５において遊技媒体数の差が所定の範囲内でなく、且つ遊技客が更に他の遊技台で遊技している場合には、次に説明するように、該当遊技台の遊技履歴情報を更に照会する。また、ステップＳ２５において遊技媒体数の差が所定の範囲内でなく、遊技客が遊技を行った遊技台が他にない場合には、不正のおそれがある。
【００４０】
（３）遊技した遊技台が３台以上である場合
移動遊技台から払い出された遊技媒体数を計算遊技媒体数に合算しても計数遊技媒体数との差が所定の範囲内でない場合、操作者は台移動ボタン（図７の左右方向の矢印ボタン）に触れて、新たな移動遊技台の遊技台番号の選択を行うことができる（ステップＳ２０）。第２制御手段１５は前記同様のステップを繰り返して、新たな移動遊技台について遊技台番号の入力（ステップＳ２１）、遊技履歴情報の取得（ステップＳ２２）、遊技履歴情報の一覧表示（ステップＳ２３）を行う。そして、最終遊技台及び全ての移動遊技台から払い出された遊技媒体数を合算して、計算遊技媒体数として表示する（ステップＳ２４）。
これにより、操作者は、表示手段１２に表示された計算遊技媒体数と、別途計数機４１で数えられた遊技客が所持する計数遊技媒体数とを照合し（ステップＳ２５）、両者の差が所定の範囲内であれば、「持玉クリア」ボタンを触れて照合を終了し、その後の精算業務（ステップＳ２６）に移ることができる。以上のステップＳ２０〜Ｓ２５は、遊技者が移動して遊技した全ての遊技台についての計算遊技媒体数を得るまで繰り返すことができる。
【００４１】
（４）遊技台で複数人の遊技者が遊技を行っていた場合
照会する最終遊技台及び移動遊技台において複数人の遊技客が遊技を行っていた場合は、遊技台情報取得手段１３により取得した遊技履歴情報のうち、計数を行った遊技客以外の遊技客の遊技履歴情報が含まれることとなり、正しい計算遊技媒体数を算出することができない。このような場合、第１制御手段１４及び第２制御手段１５は、遊技履歴情報中で、計数を行った遊技客が遊技した期間のみを選択させ、その期間において払い出された遊技媒体数を集計することにより計算遊技媒体数を算出するようにすることができる。例えば、図９に示すように、表示した遊技履歴情報の一覧の各行に操作者が触れることによって、期間を選択させるようにすることができる。第１制御手段１４及び第２制御手段１５は、選択された期間（図９においては、遊技媒体数が１９５３０と４５５０の行）の遊技媒体数の合計を計算遊技媒体数（１９５３０＋４５５０＝２４０８０）として算出し、表示手段１２により表示することができる。また、遊技媒体数クリア手段１６により、ホールコンピュータ２は選択された分の遊技媒体数を計数済みとすることができる。
【００４２】
以上のような動作及び処理により、遊技媒体数照会手段は、計数機により計数した計数遊技媒体数と、その遊技客が遊技した任意台数の遊技台において払い出された遊技媒体の数を計算した計算遊技媒体数とを比較照合することができる。操作者は、計数機近傍等、遊技媒体数の照会が必要な場所で操作を行うことができ、ホールコンピュータ等に記録されている遊技台の遊技媒体数情報を問い合わせる必要がなくなるため、短時間で正確に計数遊技媒体数が適正であるかどうかを確認することが可能になる。また、遊技客及び遊技台を特定するためのカード等の識別媒体を使用しないで、全ての遊技客に対応することが可能である。
更に、遊技媒体数照会手段は、遊技台で複数の遊技客が利用していても遊技客が遊技した分の遊技媒体数だけを選択することができるため、正しい計算遊技媒体数を算出することができ、ホールコンピュータのデータベースの内容が不正確になるのを防止し、より正確な管理業務を行うことができる。
【００４３】
尚、本発明においては、以上に示した実施形態に限られず、目的、用途に応じて本発明の範囲内で種々変更した態様とすることができる。例えば、図９において、最終遊技台及び移動遊技台の双方において遊技履歴情報を選択しているが、これに限られず、最終遊技台及び移動遊技台の一方のみ選択してもよい。
【符号の説明】
【００４４】
１；遊技媒体数照会手段、１１；操作入力手段、１２；表示手段、１３；遊技台情報取得手段、１４；第１制御手段、１５；第２制御手段、１６；遊技媒体数クリア手段、１７；計数情報取得手段、１８；遊技媒体設定手段、２；ホールコンピュータ、３；遊技台、４１；計数機、５；台間機。
【図１】
0006000555.tif 000002
【図２】
0006000555.tif 000003
【図３】
0006000555.tif 000004
【図４】
0006000555.tif 000005
【図５】
0006000555.tif 000006
【図６】
0006000555.tif 000007
【図７】
0006000555.tif 000008
【図８】
0006000555.tif 000009
【図９】
0006000555.tif 000010
【図１０】
0006000555.tif 000011